(57)【要約】【課題】魚の食い付き時における抵抗の発生を極力少なくして魚の食い付きを良くすることができると共に、魚の当たりや引きの確認が容易となる釣り用浮きを提供する。【解決手段】下部に設けた錘１３によって通常は上面が上になる浮き本体１２の上面に突軸１７を設け、この突軸１７の上端に道糸の接続環１４を設け、この浮き本体１２の上面と下面を異なる色彩１５と１６にする。【選択図】図１
2006109704.tif 000002
【特許請求の範囲】
【請求項１】
下部に設けた錘によって通常は上面が上になる浮き本体の上面に道糸の接続環を設け、この浮き本体の上面と下面を異なる色彩にした釣り用浮き。
【請求項２】
下部に設けた錘によって通常は上面が上になる浮き本体を、両側に配置した補助浮き間に回転可能となるよう取付け、前記浮き本体の上面に道糸の接続環を設け、この浮き本体の上面と下面を異なる色彩にした釣り用浮き。
【発明の詳細な説明】
【技術分野】
【０００１】
この発明は、魚の食いつきがよく、かつ、当たりや引きが分かりやすい釣り用浮きに関する。
【背景技術】
【０００２】
釣り用の浮きには、対象となる魚種や好みに応じて、棒浮き、玉浮き等各種形状のものが用いられているが、基本的には、図５に玉浮きで例示するように、浮き１は所定の浮力を備えた浮き本体２の下部に錘と軸３や道糸の接続環を設けた構造になっている。
【０００３】
このような浮き１は、道糸Ａに予め通したゴムチューブ４に軸３を差し込むか接続環に道糸を接続することによって道糸Ａに取付け、水深等に応じて浮き下の長さを調整した位置にセットした状態で魚釣りに使用され、図５（ａ）のように、通常は浮力によって浮き本体２の上部が水面上に臨み、魚が引くと図５（ｂ）のように、浮き本体２は下方に引かれることで水中に引き込まれ、浮き本体２のこの動きの変動によって魚の当たりや引きが確認できることになる。
【発明の開示】
【発明が解決しようとする課題】
【０００４】
上記した従来の浮き１は、魚の当たりや引きに対して浮き本体２が下方に引かれることで水中に引き込まれるので、道糸Ａには魚の当たりや引きに対して浮き本体２の浮力に対応した抵抗が発生する。
【０００５】
ところで、魚は敏感であるので餌に食い付いてこれを引く際に、抵抗があると食い付きをやめる習性があり、このため、従来の浮き１は、水中に引き込まれるとき浮き本体２の浮力に対応した大きな抵抗が発生することで、魚が食い付きをやめることになり、釣果の向上が望めないという問題がある。
【０００６】
また、魚の当たりや引きに対して浮き本体２は上下に動くだけであるので、見た目の変化が乏しく、魚の当たりや引きの確認がしにくいという問題がある。
【０００７】
そこで、この発明の課題は、魚の食い付き時における抵抗の発生を極力少なくし、魚の食い付きを良くすることができると共に、魚の当たりや引きに対して色彩的に変化し、魚の当たりや引きの確認が容易となる釣り用浮きを提供することにある。
【課題を解決するための手段】
【０００８】
上記のような課題を解決するため、請求項１の発明は、下部に設けた錘によって通常は上面が上になる浮き本体の上面に道糸の接続環を設け、この浮き本体の上面と下面を異なる色彩にした構成を採用したものである。
【０００９】
請求項２の発明は、下部に設けた錘によって通常は上面が上になる浮き本体を、両側に配置した補助浮き間に回転可能となるよう取付け、前記浮き本体の上面に道糸の接続環を設け、この浮き本体の上面と下面を異なる色彩にした構成を採用したものである。
【００１０】
ここで、浮き本体は、浮力のある材料を用いて球形や横長の円軸状に形成され、上面の道糸の接続環は、浮き本体の上面に直接取付けるほか、浮き本体の上面に設けた突軸や球体の上端に取付けるようにしてもよい。
【発明の効果】
【００１１】
この発明によると、下部に設けた錘で通常は上面が上になる浮き本体の上面に道糸の接続環を設けたので、魚の当たりや引きに対して浮き本体は上面の接続環が道糸で引かれることで回転し、この回転によって接続環が下降することにより、道糸には浮き本体の浮力による抵抗の発生がなく、これによって、魚の当たり時における抵抗の発生が少なくなり、魚の食い付きを良くすることができる。
【００１２】
また、浮き本体の上面と下面を異なる色彩にしたので、魚の食い付きによって引かれた浮き本体が上下反転することにより、浮き本体の上から見える部分の色が変わり、魚の当たりや引きの確認が容易となる。
【発明を実施するための最良の形態】
【００１３】
以下、この発明の実施の形態を添付図面に基づいて説明する。
【００１４】
図１と図２は、この発明に係る釣り用浮きの第１乃至第６の実施の形態を示し、図１（ａ）と図２（ａ）に示す第１の実施の形態の浮き１１は、浮き本体１２が、発泡スチロールや木等の浮力を有する材料を用いて球状の玉浮きに形成され、この浮き本体１２の下部に錘１３を設けて通常は上面が上になるようにし、前記浮き本体１２の上面に道糸Ａの接続環１４を設け、この浮き本体１２の上面と下面を異なる色彩１５と１６にした構造になっている。なお、以降の実施の形態において、第１の実施の形態と同一部分には同一符号を付して説明に代える。
【００１５】
図１（ｂ）と図２（ｂ）に示す第２の実施の形態の浮き１１は、浮き本体１２の上面に所定長さの突軸１７を突設し、この突軸１７の上端に道糸の接続環１４を設け、この浮き本体１２の上面と下面を異なる色彩１５と１６にした構造になっている。
【００１６】
図１（ｃ）と図２（ｃ）に示す第３の実施の形態の浮き１１は、浮き本体１２が浮力を有する材料を用いて横長の円軸状に形成され、この浮き本体１２の下部で両端部に錘１３を設けて通常は上面が上になるようにし、浮き本体１２の上面中央に道糸の接続環１４を設けたものである。
【００１７】
図１（ｄ）と図２（ｄ）に示す第４の実施の形態の浮き１１は、浮き本体１２が浮力を有する材料を用いて横長の円軸状に形成され、前記浮き本体１２の軸心に沿って貫通孔１８を設け、この貫通孔１８に挿通した軸１９の両端に浮き本体１２よりも小径となる球状の補助浮き２０を取付け、前記浮き本体１２をその両端に位置する補助浮き２０に対して、軸１９を中心に回転可能にしている。
【００１８】
上記浮き本体１２の上面中央位置に道糸Ａの接続環１４を設け、この浮き本体１２の上面と下面を異なる色彩１５と１６にしている。
【００１９】
図１（ｅ）と図２（ｅ）に示す第５の実施の形態の浮き１１は、第４の実施の形態の浮き１１において、浮き本体１２の上面中央位置に、浮き本体１２よりも小径となる球体２１を固定し、この球体２１の上面に接続環１４を設けたものである。
【００２０】
図１（ｆ）と図２（ｆ）に示す第６の実施の形態の浮き１１は、第５の実施の形態の浮き１１において、浮き本体１２を球状の玉浮きに形成し、浮き本体１２の上面中央位置に、浮き本体１２よりも小径となる球体２１を固定し、この球体２１の上面に接続環１４を設けたものである。
【００２１】
なお、浮き本体１２の下部に設けた錘１３は、外部に突出させたが、浮き本体１２の内部に埋め込み状に設けるようにしてもよい。
【００２２】
この発明の釣り用浮きは上記のような構成であり、図３は一例として第２の実施の形態の浮き１１の使用例を示し、図３（ａ）のように接続環１４に道糸Ａを通し、浮き下が必要な長さになるよう道糸Ａに固定した浮き止め２２と接続環１４をサル環２３で接続する。
【００２３】
この状態で魚釣りを行うと、図３（ａ）のように、浮き本体１２は下部に設けた錘１３で上面が上になって水面に浮上し、突軸１７が起立して上端の接続環１４から道糸Ａの針素側が水中に沈むことになる。
【００２４】
魚の当たりをキャッチすると、道糸Ａが引き込まれることになるが、浮き本体１２は上面の接続環１４が道糸Ａで引かれることで図３（ｂ）のように回転し、この回転によって突軸１７は浮き本体１２の略中心を支点として伏倒し、接続環１４が下降することにより、道糸Ａには浮き本体１２の浮力による抵抗の発生がなく、これによって、魚の当たり時における抵抗の発生が少なくなり、魚の食い付きを良くすることができる。
【００２５】
即ち、突軸１７が錘１３を中心にして伏倒することで、道糸Ａは浮き本体１２の浮力による抵抗を受けることなく滑らかに引き下げられることになり、これによって魚に違和感を与えることがなく、魚の食い付きを良くなるものであり、突軸１７の長さを長く設定することで、道糸Ａの移動量を大きく設定することができ、道糸Ａの移動がより円滑となって食い付き時の違和感の発生をより少なくすることができる。
【００２６】
魚が食いついて道糸Ａを引くと、突軸１７が水中に引き込まれることで、図３（ｃ）のように、浮き本体１２は上下が反転し、これにより、浮き本体１２は下部が上向きとなり、浮き本体１２は上面と下面を異なる色彩１５と１６になっているので、通常の状態に対して浮き本体１２の上から見える部分の色が変わり、この色の変化によって魚の当たりや引きの確認が容易となり、早あわせを予防して的確に当たりを捉えることができる。
【００２７】
なお、第１と第３の実施の形態の浮き１１においても、第２の実施の形態の浮き１１と同様の作用と効果が得られる。
【００２８】
図４は、第５の実施の形態の浮き１１の使用例を示し、基本的な作用と効果は上述した第２の実施の形態と同様であるが、この第５の実施の形態では、図４（ａ）乃至（ｃ）に順番で示すように、当たりがあった時から引きに至ると浮き本体１２が補助浮き２０間の軸１９を中心に回動して反転することになる。なお、第４と第６の実施の形態の浮き１１においても、第５の実施の形態の浮き１１と同様の作用と効果が得られる。
【図面の簡単な説明】
【００２９】
【図１】（ａ）乃至（ｆ）のそれぞれは、この発明の第１乃至第６の実施の形態の釣り用浮きを順番に示す斜視図
【図２】（ａ）乃至（ｆ）のそれぞれは、この発明の第１乃至第６の実施の形態の釣り用浮きを順番に示す正面図
【図３】第２の実施の形態の浮きにおける使用状態を示し、（ａ）は通常の状態の正面図、（ｂ）は当たりが生じた状態の正面図、（ｃ）は引きが生じた状態の正面図
【図４】第５の実施の形態の浮きにおける使用状態を示し、（ａ）は通常の状態の正面図、（ｂ）は当たりが生じた状態の正面図、（ｃ）は引きが生じた状態の正面図
【図５】従来の浮きにおける使用状態を示し、（ａ）は通常の状態の正面図、（ｂ）は引きが生じた状態の正面図
【符号の説明】
【００３０】
１１      浮き
１２      浮き本体
１３      錘
１４      接続環
１５      色彩
１６      色彩
１７      突軸
１８      貫通孔
１９      軸
２０      補助浮き
２１      球体
２２      浮き止め
２３      サル環
【図１】
2006109704.tif 000003
【図２】
2006109704.tif 000004
【図３】
2006109704.tif 000005
【図４】
2006109704.tif 000006
【図５】
2006109704.tif 000007